(57)【特許請求の範囲】
【請求項１】
１つ以上のコンテンツのそれぞれ一部を一覧表示する表示部と、一覧表示されたコンテンツの選択および該選択されたコンテンツの詳細な内容の該表示部への表示をユーザが指示するための操作部とを備えたコンテンツ表示装置において、
前記コンテンツに含まれるキーワードと、記憶部に記憶された判定用キーワードとの合致状態を判定するキーワード合致状態判定手段と、
前記表示部に一覧表示されたコンテンツの一部を、ユーザが前記操作部を介して選択したときに、前記一部が選択されたコンテンツが、前記判定用キーワードに合致したキーワードを含んでいると、前記キーワード合致状態判定手段が判定した場合に、報知部によりユーザに対して報知を行う報知制御手段とを備え、
前記一部が選択されたコンテンツが、前記判定用キーワードに合致したキーワードを含んでいると、前記キーワード合致状態判定手段が判定した場合に、前記報知制御手段は、合致したキーワードをユーザに対し報知すること特徴とするコンテンツ表示装置。
【請求項２】
請求項１に記載のコンテンツ表示装置を搭載したことを特徴とする携帯端末。
【請求項３】
１つ以上のコンテンツのそれぞれ一部を一覧表示する表示部と、一覧表示されたコンテンツの選択および該選択されたコンテンツの詳細な内容の該表示部への表示をユーザが指示するための操作部とを備えたコンテンツ表示装置の制御方法において、
前記コンテンツに含まれるキーワードと、記憶部に記憶された判定用キーワードとの合致状態を判定するキーワード合致状態判定工程と、
前記表示部に一覧表示されたコンテンツの一部を、ユーザが前記操作部を介して選択したときに、前記一部が選択されたコンテンツが、前記判定用キーワードに合致したキーワードを含んでいると、前記キーワード合致状態判定工程にて判定した場合に、報知部によりユーザに対して報知を行う報知制御工程とを含み、
前記一部が選択されたコンテンツが、前記判定用キーワードに合致したキーワードを含んでいると、前記キーワード合致状態判定工程にて判定した場合に、前記報知制御工程にて、合致したキーワードをユーザに対し報知すること特徴とするコンテンツ表示装置の制御方法。
【請求項４】
請求項１に記載のコンテンツ表示装置の前記各手段としてコンピュータを機能させるためのコンテンツ表示装置の制御プログラム。
【発明の詳細な説明】
【技術分野】
【０００１】
本発明は、１つ以上のコンテンツのそれぞれ一部が表示部に表示されており、一覧表示されたコンテンツにユーザが興味のあるコンテンツが含まれている場合に、ユーザに報知するコンテンツ表示装置、携帯端末、コンテンツ表示装置の制御方法、コンテンツ表示装置の制御プログラムおよびこれを記録したコンピュータ読み取り可能な記録媒体に関するものである。
【背景技術】
【０００２】
一般に、携帯端末、例えば、ＰＤＣ（personal digital cellular）、ＰＨＳ（personal handyphone system）等の携帯電話機およびＰＤＡ（Personal Digital Assistant）等の携帯型情報端末装置は、ニュースや電子新聞等の種々のコンテンツをサーバから受信することが可能である。
【０００３】
このような携帯端末の表示画面は非常に小さいために、受信したコンテンツを表示する場合には、ヘッドラインやコンテンツの冒頭のみが表示されることが普通である。しかし、ヘッドラインやコンテンツの冒頭部分を見ただけでは、コンテンツの詳細な内容までを推測することは難しく、実際は興味のある内容であっても読み飛ばしてしまう可能性がある。
【０００４】
特に、複数のコンテンツのヘッドラインや冒頭部分が表示画面に一覧表示されている場合には、ユーザは、ヘッドラインや冒頭部分を一つ一つ読んで、自分に興味のあるコンテンツであるか否かを推測する必要があり、確認作業が煩雑となり、興味のあるコンテンツを読み飛ばしてしまう可能性も高い。
【０００５】
そこで、表示画面にコンテンツのヘッドラインや冒頭部分が表示されている場合、特に、複数のコンテンツのヘッドラインや冒頭部分が表示画面に一覧表示されている場合において、ユーザが各コンテンツの詳細な内容を確認せずとも、興味のあるコンテンツを読み飛ばさずに確認できる端末装置の実現が望まれている。
【０００６】
以下に、受信したコンテンツを表示画面に表示する端末装置について、特許文献１および特許文献２を参照して説明する。
【０００７】
特許文献１に記載された技術は、メロディや音声等を添付したメールを受信可能にする携帯端末に関するものである。具体的には、携帯端末が有する機能を、所定の単語（キーワード）と関連付けて登録しておき、該携帯端末の表示画面に表示された文字データから、上記登録されたキーワードが抽出されたとき、携帯端末に上記抽出されたキーワードと関連付けて登録された機能を実行させる。
【０００８】
また、特許文献２に記載された技術は、電子メールの重要度を即時判断可能に且つその程度と共に表示する表示装置に関するものである。具体的には、電子メールの重要度を決める要素として入力されたキーワードを読み込み、読み込んだ上記キーワードと配信された電子メールとを参照し、上記キーワードの一致を判定し、一致したキーワードの数を合計する。そして、合計したキーワードの数の大小に基づいて、配信された電子メールを元の表示形体と異なる表示形体で表示する。
【特許文献１】特開２００１−３２５０６０号公報（公開日：平成１３年１１月２２日）
【特許文献２】特開２００２−３６６４９１号公報（公開日：平成１４年１２月２０日）
【発明の開示】
【発明が解決しようとする課題】
【０００９】
しかしながら、特許文献１および特許文献２には、表示画面に複数のコンテンツのヘッドラインや冒頭部分が一覧表示されている場合において、ユーザが各コンテンツの詳細な内容を確認せずとも、興味のあるコンテンツを読み飛ばさずに確認できる構成については記載されていない。
【００１０】
本発明は、上記の問題点に鑑みてなされたものであり、その目的は、表示画面に複数のコンテンツのそれぞれ一部が一覧表示されている場合において、ユーザが各コンテンツの詳細な内容を確認せずとも、興味のあるコンテンツを読み飛ばさずに確認できるコンテンツ表示装置、携帯端末、コンテンツ表示装置の制御方法、コンテンツ表示装置の制御プログラムおよびこれを記録したコンピュータ読み取り可能な記録媒体を提供することにある。
【課題を解決するための手段】
【００１１】
本発明のコンテンツ表示装置は、上記課題を解決するために、１つ以上のコンテンツのそれぞれ一部を一覧表示する表示部と、一覧表示されたコンテンツの選択および該選択されたコンテンツの詳細な内容の該表示部への表示をユーザが指示するための操作部とを備えたコンテンツ表示装置であって、上記コンテンツに含まれるキーワードと、記憶部に予め記憶された判定用キーワードとの合致状態を判定するキーワード合致状態判定手段と、上記キーワード合致状態判定手段による判定の結果、上記表示部に一部が表示されているコンテンツに、上記判定用キーワードに合致するキーワードが含まれている場合に、報知部によりユーザに対して報知を行う報知制御手段とを備えていること特徴としている。
【００１２】
上記構成により、１つ以上のコンテンツのそれぞれ一部が表示部に一覧表示されており、ユーザが一覧表示されたコンテンツを選択し、そのコンテンツの詳細な内容を表示させることが可能なコンテンツ表示装置において、予めユーザが興味のあるキーワードを記憶部に判定用キーワードとして記憶しておくことにより、該表示部に一覧表示されているコンテンツに、該判定用キーワードに合致するキーワードを含むコンテンツが含まれている場合にはユーザに報知を行うことができる。
【００１３】
具体的には、本発明のコンテンツ表示装置は、キーワード合致状態判定手段が、表示部に一覧表示されたコンテンツに含まれるキーワードと上記判定用キーワードとの合致状態をそれぞれ判定し、該表示部に表示されているコンテンツに、上記判定用キーワードに合致するキーワードが含まれている場合に、報知制御手段が報知部によりユーザに対して報知を行うものである。
【００１４】
これにより、ユーザは、表示部に一覧表示されたコンテンツのそれぞれ一部または詳細な内容を確認しなくとも、コンテンツ表示部に一覧表示されたコンテンツに、興味があるコンテンツが含まれているか否かを知ることができる。その結果、ユーザが興味のあるコンテンツを確実に確認することができ、興味のあるコンテンツを読み飛ばしてしまう可能性を低下させることができる。
【００１５】
なお、コンテンツの一部とは、コンテンツの詳細な内容の一部、例えば、操作部により表示部に表示された画像を移動させることにより、詳細な内容が全て見ることができ、その一部のみが一覧表示されている構成であってもよいし、コンテンツの要点を示す題目が一覧表示されている構成であってもよい。
【００１６】
また、本発明のコンテンツ表示装置では、上記報知部は、表示、音声、振動および発光の少なくとも１つにより、ユーザに対する報知を行ってもよい。
【００１７】
上記構成により、表示部に一覧表示されているコンテンツに、判定用キーワードに合致するキーワードが含まれている場合、表示、音声、振動および発光の少なくとも１つにより、ユーザに対して報知を行うことができる。
【００１８】
また、本発明のコンテンツ表示装置では、上記報知制御手段は、上記表示部に一覧表示されたコンテンツのそれぞれ一部のうち、上記判定用キーワードに合致するキーワードを含むと判定されたコンテンツの一部を、他のコンテンツの一部とは識別可能に該表示部に表示する構成であってもよい。
【００１９】
上記構成により、ユーザは、表示部に一覧表示されているコンテンツのそれぞれ一部を、一つ一つ確認することなく、どのコンテンツが自分の興味のあるキーワードを含むコンテンツであるのかを理解することができる。そのため、ユーザの興味のあるコンテンツを容易に見つけ出すことができ、興味のあるコンテンツを読み飛ばしてしまう可能性を低下させることができる。
【００２０】
また、本発明のコンテンツ表示装置では、上記報知制御手段は、上記表示部に一覧表示されたコンテンツのそれぞれ一部のうち、上記判定用キーワードに合致するキーワードを含むと判定されたコンテンツの一部を、ユーザが上記操作部を介して選択したとき、ユーザに対して報知を行ってもよい。
【００２１】
上記構成により、ユーザは、表示部に一覧表示されているコンテンツのそれぞれ一部を、一つ一つ確認することなく、上記操作部を介してコンテンツの一部を順次選択していくことにより、どのコンテンツが自分の興味のあるキーワードを含むコンテンツであるのかを理解することができる。そのため、ユーザが興味のあるコンテンツを容易に見つけ出すことができ、興味のあるコンテンツを読み飛ばしてしまう可能性を低下させることができる。
【００２２】
また、本発明のコンテンツ表示装置では、上記報知制御手段は、上記表示部に一覧表示されたコンテンツのそれぞれ一部のうち、上記判定用キーワードに合致するキーワードを含むと判定されたコンテンツの一部を、ユーザが上記操作部を介して選択したとき、合致したキーワードをユーザに対し報知してもよい。
【００２３】
上記構成により、ユーザは、上記判定用キーワードに合致するキーワードを含むと判定されたコンテンツの一部を、上記操作部を介して選択した場合に、報知されたキーワードを確認することにより、詳細な内容を確認するかどうかを判断することができる。
【００２４】
また、本発明のコンテンツ表示装置では、上記表示部に一覧表示されたコンテンツのそれぞれ一部のうち、上記判定用キーワードに合致するキーワードを含むと判定されたコンテンツの一部のみを、ユーザが上記操作部を介して選択可能に表示する構成であってもよい。
【００２５】
上記構成により、ユーザは、表示部に一覧表示されているコンテンツのそれぞれ一部を、一つ一つ確認しなくても、自分の興味のあるキーワードを含むコンテンツのみ選択可能であるために、興味のあるコンテンツを読み飛ばしてしまう可能性を低下させることができる。
【００２６】
また、本発明のコンテンツ表示装置では、上記報知制御手段は、上記判定用キーワードに合致するキーワードを含むと判定されたコンテンツの数を、上記表示部に表示する構成であってもよい。
【００２７】
上記構成により、ユーザは、表示部に一覧表示されているコンテンツのそれぞれ一部に、いくつ自分の興味のあるキーワードを含むコンテンツがあるかを理解することができる。
【００２８】
また、本発明のコンテンツ表示装置では、上記報知制御手段は、上記表示部に表示されたコンテンツの数を、ユーザが上記操作部を介して選択したとき、上記判定用キーワードに合致するキーワードを含むと判定されたコンテンツの一部を、該表示部に一覧表示する構成であってもよい。
【００２９】
上記構成により、ユーザは、表示部に一覧表示されているコンテンツのそれぞれ一部を、一つ一つ確認しなくても、全て自分の興味のあるキーワードを含むコンテンツだけであるために、興味のあるコンテンツを読み飛ばしてしまう可能性を低下させることができる。
【００３０】
また、キーワード合致状態判定手段が、記憶部に記憶された判定用キーワードと合致状態を判定するためのコンテンツに含まれるキーワードとしては、以下に説明するキーワードを用いてもよい。
【００３１】
すなわち、本発明のコンテンツ表示装置では、上記コンテンツは、詳細な内容と、該詳細な内容の要点を示す単語であるコンテンツキーワードとを少なくとも含んでおり、上記キーワード合致状態判定手段は、上記コンテンツキーワードと、上記記憶部に予め記憶された判定用キーワードとの合致状態を判定してもよい。
【００３２】
また、本発明のコンテンツ表示装置では、上記コンテンツは、詳細な内容と、題目とを少なくとも含んでおり、上記題目または上記詳細な内容から、名詞をキーワードとして抽出するキーワード抽出手段を備え、上記キーワード合致状態判定手段は、上記キーワード抽出手段によって抽出されたキーワードと、上記記憶部に予め記憶された判定用キーワードとの合致状態を判定してもよい。
【００３３】
このように、本発明のコンテンツ表示装置は、キーワード抽出手段を備えることにより、コンテンツに含まれるキーワードとして、コンテンツの題目または詳細な内容から抽出されたキーワードを用いることができる。
【００３４】
また、本発明のコンテンツ表示装置では、詳細な内容を表示したコンテンツに含まれるキーワードを、上記判定用キーワードとして上記記憶部に記憶させる判定用キーワード設定手段を備えていてもよい。
【００３５】
上記構成により、ユーザが操作部を介して任意のキーワードをわざわざ判定用キーワードとして登録しなくても、ユーザの興味のあるコンテンツの詳細な内容を確認するだけで、ユーザの興味のあるキーワードを判定用キーワードとして記憶部に記憶させることが可能となる。
【００３６】
また、本発明のコンテンツ表示装置では、所定のアドレス情報に基づき、外部情報供給装置からサイト情報を取得するサイト情報取得手段と、上記サイト情報から文字列をサイト情報キーワードとして抽出し、該サイト情報キーワードを上記判定用キーワードとして上記記憶部に記憶させるサイト情報キーワード抽出手段とを備えていてもよい。
【００３７】
上記構成により、ユーザの興味のあるサイト、例えばブログやＳＮＳサイト等に書き込まれたサイト情報から、文字列をサイト情報キーワードとして抽出し、該サイト情報キーワードを上記判定用キーワードとして上記記憶部に記憶させることができる。そのため、本発明のコンテンツ表示装置は、表示部に一覧表示されているコンテンツに、サイト情報から抽出したサイト情報キーワードに合致するキーワードを含むコンテンツが含まれている場合は、ユーザに対して報知を行うことができる。
【００３８】
これにより、ユーザは、表示部に一覧表示されたコンテンツのそれぞれ一部または詳細な内容を確認しなくとも、表示部に一覧表示されたコンテンツに、興味のあるサイトに記載されているサイト情報キーワードに合致するキーワードを含むコンテンツが含まれているか否かを知ることができる。その結果、ユーザは、自分の興味のあるサイトに記載されたサイト情報キーワードに関するコンテンツを確実に確認することができる。
【００３９】
本発明の携帯端末は、上述したコンテンツ表示装置を搭載したことを特徴としている。
【００４０】
携帯端末の表示部は携帯に便利なように小型化されているために、他の端末装置と比較して、表示部には１つ以上のコンテンツのそれぞれごく一部のみが一覧表示される。したがって、表示部に一覧表示されたコンテンツのごく一部から、ユーザが自分の興味のあるコンテンツを探し出すことは非常の困難である。したがって、携帯端末に本発明のコンテンツ表示装置を搭載することにより、表示部にコンテンツのごく一部のみしか表示されなくても、ユーザが自分の興味のあるコンテンツを容易に確認することができる。
【００４１】
本発明のコンテンツ表示装置の制御方法では、１つ以上のコンテンツのそれぞれ一部を一覧表示する表示部と、一覧表示されたコンテンツを選択するとともに、該選択されたコンテンツの詳細な内容を該表示部に表示させることをユーザが指示するための操作部とを備えたコンテンツ表示装置の制御方法であって、上記コンテンツに含まれるキーワードと、記憶部に予め記憶された判定用キーワードとの合致状態を判定するキーワード合致状態判定工程と、上記キーワード合致状態判定工程における判定の結果、上記表示部に一部が表示されているコンテンツに、上記判定用キーワードに合致するキーワードが含まれている場合に、報知部によりユーザに対して報知を行う報知制御工程とを含んでいること特徴としている。
【００４２】
コンテンツ表示装置の制御方法の各工程においては、コンテンツ表示装置の各手段と同様の処理が実現されているので、コンテンツ表示装置と同様の作用効果を得ることができる。
【００４３】
なお、上記コンテンツ表示装置は、コンピュータによって実現してもよく、この場合には、コンピュータを上記各手段として動作させることにより上記コンテンツ表示装置をコンピュータにて実現させるコンテンツ表示装置の制御プログラム、およびそれを記録したコンピュータ読み取り可能な記録媒体も、本発明の範疇に入る。
【発明の効果】
【００４４】
本発明のコンテンツ表示装置は、上述した構成を有することにより、ユーザは、表示部に一覧表示されたコンテンツのそれぞれ一部または詳細な内容を確認しなくとも、該表示部に一覧表示されたコンテンツに、興味があるコンテンツが含まれているか否かを知ることができる。その結果、ユーザが興味のあるコンテンツを確実に確認することができ、興味のあるコンテンツを読み飛ばしてしまう可能性を低下させることができる。
【発明を実施するための最良の形態】
【００４５】
本発明のコンテンツ表示装置の実施形態について図１〜図１４に基づいて説明すると、以下の通りである。
【００４６】
〔第１実施形態〕
まず、本発明の第１実施形態に係るコンテンツ表示装置１の全体構成について図１を参照して説明する。図１は、コンテンツ表示装置１の概略構成を示すブロック図である。
【００４７】
コンテンツ表示装置１は、図１に示すように、受信部３と、記憶部４と、主制御部５と、報知部６と、表示部７と、操作部８とを備えており、サーバ２からネットワークを介して種々のコンテンツを受信するものである。なお、上記ネットワークは、有線であってもよいし、無線であってもよい。
【００４８】
コンテンツ表示装置１は、例えば、携帯電話、ＰＤＡ（Personal data assistant）、パーソナルコンピュータ等の通信端末装置に搭載することが可能であるが、特に、小型の表示画面を有する携帯可能な構成の通信端末装置に好適に搭載することができる。
【００４９】
以下に、コンテンツ表示装置１の各構成要素について具体的に説明する。
【００５０】
受信部３は、サーバ２からネットワークを介して配信された種々のコンテンツを受信し、記憶部４に記憶させるものである。受信部３が受信するコンテンツの一例について図２を参照して説明する。図２は、受信部３が受信したコンテンツを示す図である。
【００５１】
上記コンテンツは、図２に示すように、各コンテンツを識別するＩＤと、各コンテンツの見出し（題目）と、各コンテンツの内容の要点を示す単語であるコンテンツキーワードと、各コンテンツの本文（詳細な説明）とが関連付けられたデータであり、ＩＤナンバー１〜７までのコンテンツが集合してリスト１を構成している。このように、受信部３は、複数のコンテンツをリスト毎にサーバ２から受信している。
【００５２】
なお、リストＸ（Ｘ１，２・・・）を構成するコンテンツの数は７つに限られず、リストＸは少なくとも１つのコンテンツを含んでいればよい。また、コンテンツも、上述したようなＩＤと、見出しと、コンテンツキーワードと、本文とが関連付けられた構成に限られず、少なくとも本文を含んでいればよい。また、コンテンツの内容もニュースに限られない。
【００５３】
記憶部４は、各種データおよびプログラムを記憶するものであり、主制御部５が動作する際に必要なプログラム、通信制御データ等の固定データや、受信部３が受信したコンテンツ、コンテンツのキーワードとキーワードの合致状態を判定するための判定用キーワード、判定結果等の一時記憶データ等を記憶することができる。
【００５４】
記憶部４への判定用キーワードの記憶は、例えば、主制御部５に判定用キーワード設定部（判定用キーワード設定手段）を設けることにより行うことができる。すなわち、上記判定用キーワード設定部は、操作部８を介してユーザが入力した任意のキーワード情報を取得し、該キーワード情報を記憶部４に判定用キーワードとして記憶する構成であってもよい。また、上記判定用キーワード設定部は、ユーザが操作部８を介して入力したメール文章やウェブ検索等で用いた単語を、単語と単語の使用回数とを関連付けて記憶部４に記憶しておき、使用回数が所定の回数に達した場合には、その単語を判定用キーワードとして登録する構成であってもよい。また、上記判定用キーワード設定部は、本文の表示を行ったコンテンツのキーワードを、判定用キーワードとして記憶部４に記憶する構成であってもよい。
【００５５】
主制御部５は、コンテンツ表示装置１内の各種構成を統括的に制御するものであり、キーワード合致状態判定部９と、表示制御部１０と、報知制御部１１とから構成されている。主制御部５の機能は、例えばＲＡＭやフラッシュメモリ等の記憶装置に記憶されたプログラムをＣＰＵ（Central Processing Unit）が実行することによって実現される。以下に、主制御部５を構成するキーワード合致状態判定部９、表示制御部１０および報知制御部１１について具体的に説明する。
【００５６】
キーワード合致状態判定部９は、主制御部５からの指示に応じて、記憶部４から判定用キーワードを取得するとともに、リストＸにおけるＩＤナンバーＹ（Ｙ＝１、２・・・）のコンテンツのキーワードを取得し、該判定用キーワードと該ＩＤナンバーＹのコンテンツのキーワードとの合致状態を判定し、その判定結果を記憶部４に記憶させるものである。
【００５７】
なお、ＩＤナンバーＹのコンテンツのキーワードとは、ＩＤナンバーＹのコンテンツキーワードであってもよいし、ＩＤナンバーＹのコンテンツの本文から図示しないキーワード抽出部（キーワード抽出手段）によって抽出したキーワードであってもよい。ここで、キーワード抽出部によってコンテンツの本文から抽出されるキーワードとしては、本文中の名詞等が挙げられる。
【００５８】
ここで、キーワード合致状態判定部９によって作成された判定結果について図３を参照して説明する。図３は、キーワード合致状態判定部９によって作成された判定結果を示す図である。キーワード合致状態判定部９は、ＩＤナンバーＹのコンテンツのキーワードと判定用キーワードとが合致していると判定した場合には、ＩＤナンバーＹのコンテンツにフラグを付与して判定結果を記憶部４に記憶し、ＩＤナンバーＹのコンテンツのキーワードと判定用キーワードとが合致していないと判定した場合には、ＩＤナンバーＹのコンテンツにフラグを付与せず判定結果を記憶部４に記憶する。
【００５９】
すなわち、記憶部４に記憶された判定結果は、図３に示すように、ＩＤナンバーとフラグとが関連付けられており、フラグを付与する場合にはフラグを「１」に設定し、フラグを付与しない場合にはフラグを「０」に設定する。
【００６０】
また、キーワード合致状態判定部９は、上記判定用キーワードと上記ＩＤナンバーＹのコンテンツのキーワードとの合致度合いをパーセンテージ（％）として判定可能な構成であってもよい。ここで、合致度合いとは、所定のキーワードとの関連性のことを指す。
【００６１】
キーワード合致状態判定部９による合致度合いの判定は、記憶部４に判定用キーワードとして、所定のキーワードと、そのキーワードと５０％以上１００％未満の関連性を示す単語と、そのキーワードと５０％未満の関連性を示す単語とを関連付けて記憶しておくことにより実現される。この場合、コンテンツ表示装置１は、キーワード合致状態判定部９が、上記ＩＤナンバーＹのコンテンツのキーワードが所定のキーワードと１００％合致しなくとも、５０％以上１００％未満または５０％未満の関連性を示す単語と合致すると判定したときは、ユーザに対して報知を行う。なお、キーワード合致状態判定部９による合致度合いの判定としては、他の類似度判定アルゴリズムを用いて行ってもかまわない。
【００６２】
表示制御部１０は、表示部７に種々の情報を表示させるものである。本実施形態では、表示制御部１０は、操作部８を介してユーザからリストＸに含まれるコンテンツを表示するように指示（コンテンツ表示指示）を受けた場合には、記憶部４からリストＸを取得するとともに、報知制御部１１から報知制御情報を取得し、該報知制御情報に基づいてリストＸを表示部７に一覧表示させる。このとき、表示制御部１０は、表示部７に一覧表示されるコンテンツに、キーワード合致状態判定部９により判定用キーワードに合致するキーワードを含むと判定されたコンテンツが含まれている場合には、そのコンテンツの見出しを他のコンテンツの見出しに対して識別可能に表示させる。
【００６３】
また、表示制御部１０は、ユーザからコンテンツ表示指示を受けた場合には、報知制御部１１に記憶部４から判定結果を取得させ、該判定結果に基づいて上記報知制御情報を生成させる。なお、表示制御部１０が報知制御部１１に上記報知制御情報を生成させるのは、表示制御部１０がユーザからコンテンツ表示指示を受けた場合に限られない。
【００６４】
報知制御部１１は、表示制御部１０からの指示に応じて、記憶部４に記憶された判定結果を取得し、該判定結果に基づいて報知制御情報を生成するものである。ここで、報知制御情報とは、表示部７に一覧表示されたコンテンツのうち、判定用キーワードに合致すると判定されたキーワードを含むコンテンツがどのコンテンツであるかをユーザに識別可能にするために、表示制御部１０に対して表示を制御させるための情報である。
【００６５】
なお、報知制御情報は、上述した情報に限られず、表示部７に一覧表示されるコンテンツに判定用キーワードに合致すると判定されたキーワードを含むコンテンツが含まれていることをユーザに対して報知するための情報であってもよいし、表示部７に一覧表示されたコンテンツのうちユーザが操作部８を介して選択したコンテンツが判定用キーワードに合致すると判定されたキーワードを含むコンテンツであることをユーザに対して報知するための情報であってもよい。また、報知制御情報は、表示制御部１０に対して表示を制御させるための情報に限られず、ユーザに報知するために表示、音声、振動、発光等の制御を行うための情報である。このように、報知制御情報としては種々の情報が挙げられるため、他の報知制御情報については後述する。
【００６６】
報知部６は、報知制御部１１が生成した報知制御情報に基づき、ユーザに報知を行うものであり、スピーカ１２と、バイブレータ１３と、発光部１４とを備えている。
【００６７】
すなわち、報知制御部１１は、表示によりユーザに対して報知を行う場合は、コンテンツ見出しの枠の色、フォントの書体、フォントの色等を変化させるための報知制御情報を生成し、表示制御部１０に送信する。また、報知制御部１１は、音声によりユーザに対して報知を行う場合は、音楽や音量等を変化させるための報知制御情報を生成し、スピーカ１２に送信する。また、報知制御部１１は、振動によりユーザに対して報知を行う場合は、振動パターンや振動時間等を変化させるための報知制御情報を生成し、バイブレータ１３に送信する。また、報知制御部１１は、発光によりユーザに対して報知を行う場合は、発光パターンや光の色等を変化させるための報知制御情報を生成し、発光部１４に送信する。
【００６８】
なお、報知部６としては、スピーカ１２、バイブレータ１３および発光部１４に限定されるものではなく、報知制御部１１が生成した報知制御情報に基づき、ユーザに対して報知可能な構成であればよい。
【００６９】
表示部７は、表示制御部１０による制御に基づき種々の情報を表示するものである。本実施形態では、表示部７には、リストＸに含まれるコンテンツの見出しが一覧表示されており、操作部８を介してユーザが所定のコンテンツの見出しを操作することにより、その見出しのコンテンツの本文に遷移する構成であるが、本発明はこれに限られない。すなわち、表示部７には、コンテンツの本文の一部が一覧表示されており、操作部８を介してユーザが画像を移動させることにより、コンテンツの本文の全文を確認できる構成であってもよく、１つ以上のコンテンツのそれぞれ一部が表示部７に一覧表示されている構成であればよい。
【００７０】
操作部８は、コンテンツ表示装置１の表面に設けられたメイン操作ボタン群等の入力デバイスをユーザが操作することにより、操作データを作成して主制御部５に送信するものである。入力デバイスとしては、ボタンスイッチの他にタッチパネル等が挙げられる。本実施形態では、操作部８は、表示部７に一覧表示されたコンテンツの見出しを選択する選択キーや、選択されたコンテンツの本文を表示させる決定キーを備えている。なお、決定キーは、選択されたコンテンツの本文を表示させる場合に用いられるだけでなく、選択した情報に関する情報に画面を遷移させる場合にも用いられる。
【００７１】
なお、報知制御部１１は、キーワード合致状態判定部９が判定用キーワードとＩＤナンバーＹのコンテンツのキーワードとの合致度合いを判定可能な構成である場合、合致度合いに応じてユーザに対する報知方法を異ならせる構成であってもよい。
【００７２】
例えば、報知制御部１１は、キーワード合致状態判定部９がＩＤナンバーＹのコンテンツのキーワードが判定用キーワードと１００％合致していると判定した場合はパターンＡの音声を、上記判定用キーワードと５０％以上１００％未満の関連性を示す単語と合致していると判定した場合はパターンＢの音声を、上記判定用キーワードと５０％未満の関連性を示す単語と合致していると判定した場合はパターンＣの音声をスピーカ１３に出力させるための報知制御情報を生成し、該報知制御情報をスピーカ１３に送信する構成としてもよい。
【００７３】
また、報知制御部１１は、判定用キーワードとＩＤナンバーＹのコンテンツのキーワードとの合致度合いに応じて、異なる報知手段を用いてユーザに対して報知を行う構成であってもよい。
【００７４】
例えば、報知制御部１１は、キーワード合致状態判定部９がＩＤナンバーＹのコンテンツのキーワードが判定用キーワードと１００％合致していると判定した場合は音声を、上記判定用キーワードと５０％以上１００％未満の関連性を示す単語と合致していると判定した場合は振動を、上記判定用キーワードと５０％未満の関連性を示す単語と合致していると判定した場合は光を、スピーカ１２、バイブレータ１３および発光部１４にそれぞれ出力させるための報知制御情報を生成し、該報知制御情報をスピーカ１２、バイブレータ１３および発光部１４に送信する構成であってもよい。
【００７５】
ここで、本実施形態のコンテンツ表示装置１の表示部７において、判定用キーワードに合致するキーワードを含むと判定されたコンテンツの見出しが、他のコンテンツの見出しとどのように識別可能に表示されるかについて図４（ａ）および図４（ｂ）を参照して説明する。図４（ａ）は従来のコンテンツ表示装置において複数のコンテンツの見出しが一覧表示されている画面を示す図であり、（ｂ）は本実施形態のコンテンツ表示装置１において複数のコンテンツの見出しが一覧表示されている画面を示す図である。
【００７６】
本実施形態のコンテンツ表示装置１では、図４（ａ）および図４（ｂ）に示すように、従来のコンテンツ表示装置が受信した複数のコンテンツの見出しを一覧表示しているだけなのに対し、受信した複数のコンテンツの見出しが一覧表示されるとともに、判定用キーワードに合致するキーワードを含むと判定されたコンテンツの見出しが識別可能に表示されている。ここで、判定用キーワードに合致するキーワードを含むと判定されたコンテンツの見出しを識別可能に表示する方法としては、コンテンツの見出しの枠の色またはフォントの色を他のコンテンツの見出しと変化させる方法等が挙げられる。
【００７７】
次に、コンテンツ表示装置１において、図４（ｂ）に示すように、判定用キーワードに合致するキーワードを含むと判定されたコンテンツの見出しを識別可能に表示する方法について図５を参照して説明する。図５は、本実施形態のコンテンツ表示装置１において、受信部３がコンテンツをサーバ２から受信してから、判定用キーワードに合致するキーワードを含むと判定されたコンテンツの見出しを表示部７に識別可能に表示するまでの処理手順を示すフローチャートである。
【００７８】
まず、受信部３が、サーバ２が配信したＩＤナンバー１〜７のコンテンツを含むリストＸを受信し（Ｓ１）、記憶部４に該コンテンツを記憶させる（Ｓ２）。そして、主制御部５は、キーワード合致状態判定部９に記憶部４から判定用キーワードを取得させ（Ｓ３）、さらに記憶部４からリストＸに含まれるＩＤナンバーＹ（Ｙ＝１，２・・・）のコンテンツのキーワードを取得させる（Ｓ４）。
【００７９】
そして、キーワード合致状態判定部９は、上記判定用キーワードと、ＩＤナンバーＹのコンテンツのキーワードとの合致状態を判定する（Ｓ５）。ここで、キーワード合致状態判定部９が、上記判定用キーワードと、上記ＩＤナンバーＹのコンテンツのキーワードとが合致していると判定した場合（Ｓ６でＹｅｓ）、該ＩＤナンバーＹのコンテンツにフラグを付与し（Ｓ７）、判定結果を記憶部４に記憶する（Ｓ８）。
【００８０】
また、キーワード合致状態判定部９が、上記判定用キーワードと、上記ＩＤナンバーＹのコンテンツのキーワードとが合致していないと判定した場合（Ｓ６でＮｏ）、コンテンツにフラグを付与せず、判定結果を記憶部４に記憶する（Ｓ８）。
【００８１】
次に、キーワード合致状態判定部９は、リストＸを構成する複数のコンテンツのうち合致状態を判定していない他のコンテンツがあるか否かを判断する。キーワード合致状態判定部９が、他のコンテンツがあると判断した場合（Ｓ９でＹｅｓ）、ＩＤナンバーＹをＹ＋１に設定し、Ｓ４に戻る。
【００８２】
また、キーワード合致状態判定部９は、他のコンテンツが無いと判断した場合（Ｓ９でＮｏ）、表示制御部１０がユーザから操作部８を介してコンテンツ表示指示を受けるまで待機する。
【００８３】
表示制御部１０は、ユーザから操作部８を介してコンテンツの表示指示を受けると（Ｓ１０）、報知制御部１１に記憶部４から判定結果を取得させ、該判定結果から報知制御情報を生成させる（Ｓ１１）。そして、表示制御部１０は、記憶部４からリストＸを取得するととともに、報知制御部１１から上記報知制御情報を取得し（Ｓ１２）、リストＸのコンテンツの見出しを表示部７に一覧表示するとともに、該報知制御情報に基づきフラグが付与されたコンテンツを識別表示させる（Ｓ１３）。
【００８４】
上述した処理手順により、本実施形態のコンテンツ表示装置１は、受信部３が受信したコンテンツの見出しが一覧表示された表示部７において、記憶部４に記憶された判定用キーワードに合致するキーワードを含むと判定されたコンテンツの見出しのみを識別可能に表示することができる。
【００８５】
また、キーワード合致状態判定部９は、上述したように、記憶部４に記憶された判定用キーワードとリストＸにおけるＩＤナンバーＹのコンテンツのキーワードとの合致度合いを判定することも可能である。この場合、図６に示すように、合致度合いによって各コンテンツの見出しを識別可能に表示、例えば、コンテンツの見出しの枠の色の濃さを変えて表示することが好ましい。
【００８６】
具体的には、所定のキーワードと、そのキーワードと５０％以上１００％未満の関連性を示す単語と、そのキーワードと５０％未満の関連性を示す単語と、各合致度合いにおいて表示するコンテンツの見出しの枠の色とを関連付けた合致度合いテーブルを予め記憶部４に記憶しておく。そして、報知制御部１１は、記憶部４に記憶された判定結果と上記合致度合いテーブルとに基づいて、報知制御情報を生成する。そして、表示制御部１０は、上記報知制御情報に基づいて、合致度合いによって各コンテンツの見出しを表示部７に識別可能に表示させる。
【００８７】
これにより、ユーザは識別表示されているコンテンツが、どの程度自分の興味のあるものかを知ることができ、コンテンツの詳細な内容を表示させる否かを決定することができる。なお、合致度合いによって各コンテンツの見出しを識別可能に表示する方法としては、コンテンツの見出しの枠の色の濃さを変える方法に限られず、合致度合いを識別可能に表示することができればよい。
【００８８】
また、上述した説明では、受信部３が受信したコンテンツの見出しを表示部７に一覧表示する際に、一覧表示されるコンテンツに判定用キーワードに合致するキーワードを含むコンテンツが含まれている場合には、そのコンテンツを識別可能に表示させる構成であるが、本実施形態のコンテンツ表示装置１はこれに限られない。
【００８９】
すなわち、コンテンツ表示装置１は、図７に示すように、受信部３が受信したコンテンツの見出しが表示部７に一覧表示されており、操作部８の次選択キーをユーザが押下した時点で、選択されたコンテンツが判定用キーワードに合致するキーワードを含むコンテンツである場合は、バイブレータ１３が振動することによりユーザに報知する構成であってもよい。
【００９０】
この場合、ユーザが表示部７に一覧表示されたコンテンツの見出しを参照して、操作部８の次選択キーを押下し、表示制御部１０は操作部８によって判定用キーワードに合致するキーワードを含むコンテンツが選択されたと判断した場合には、報知制御部１１にその情報を送信する。そして、報知制御部１１は、記憶部４に記憶された判定結果に基づいて報知制御情報を作成し、バイブレータ１３に該報知制御情報を送信することにより、バイブレータ１３の振動パターンおよび振動時間を制御する。
【００９１】
上記構成により、ユーザは、表示部７に一覧表示されているコンテンツのそれぞれ一部を、一つ一つ確認することなく、操作部８を介してコンテンツの見出しを順次選択していくことにより、どのコンテンツが自分の興味のあるキーワードを含むコンテンツであるのかを理解することができる。そのため、ユーザが興味のあるコンテンツを容易に見つけ出すことができ、興味のあるコンテンツを読み飛ばしてしまう可能性を低下させることができる。
【００９２】
また、コンテンツ表示装置１は、判定用キーワードに合致すると判定されたキーワードを含むコンテンツ数を、ユーザに報知する構成であってもよい。例えば、図８（ａ）に示すように、表示部７が待ち受け画面の状態である場合において、受信部３がリストＸのコンテンツを受信した時点で、受信したコンテンツに含まれる判定用キーワードに合致すると判定されたキーワードを含むコンテンツ数を表示部７の一部に表示する構成であってもよい。また、図８（ｂ）に示すように、ユーザが操作部８を介してコンテンツを表示するように指示した場合は、コンテンツの見出しを表示部７に一覧表示するとともに、表示部７の一部に判定用キーワードに合致すると判定されたキーワードを含むコンテンツ数を表示する構成であってもよい。
【００９３】
上記構成により、ユーザは、表示部７に一覧表示されているコンテンツに、いくつ自分の興味のあるキーワードを含むコンテンツがあるかを理解することができる。
【００９４】
また、コンテンツ表示装置１は、図９に示すように、図８（ｂ）に示した表示部７の一部に表示されたコンテンツ数を、ユーザが操作部８を介して決定キーを押下した場合は、判定用キーワードと合致すると判定されたキーワードを含むコンテンツの見出しのみが一覧表示された画面に遷移する構成であってもよい。
【００９５】
上記構成により、ユーザは、表示部７に一覧表示されているコンテンツの見出しを、一つ一つ確認しなくても、全て自分の興味のあるキーワードを含むコンテンツだけが表示された画面に遷移することができるために、興味のあるコンテンツを読み飛ばしてしまう可能性を低下させることができる。
【００９６】
また、コンテンツ表示装置１は、図１０に示すように、判定用キーワードに合致するキーワードを含むと判定されたコンテンツの見出しを、ユーザが操作部８を介して選択した場合は、ユーザに対し合致したキーワードを報知する構成であってもよい。
【００９７】
この場合、キーワード合致状態判定部９は、判定結果を記憶部４に記憶する際に、判定用キーワードと合致したコンテンツのキーワードを、コンテンツのＩＤナンバーに関連付けて記憶部４に記憶させておく。そして、報知制御部１１は、ユーザが操作部８を介して判定用キーワードに合致するキーワードを含むコンテンツを選択した場合に、記憶部４に記憶された判定結果と判定用キーワードと合致したコンテンツのキーワードとを取得し、表示制御部１０に該キーワードを表示部７に表示させる。
【００９８】
上記構成により、ユーザは、判定用キーワードに合致するキーワードを含むと判定されたコンテンツの見出しを、操作部８を介して選択した場合に、報知されたキーワードを確認することにより、詳細な内容を確認するかどうかを判断することができる。
【００９９】
また、コンテンツ表示装置１は、図１１に示すように、表示部７に一覧表示されたコンテンツの見出しから、判定用キーワードに合致するキーワードを含むと判定されたコンテンツの見出しのみを、ユーザが操作部８を介して選択可能な構成であってもよい。
【０１００】
ここで、図１１に示すような、ユーザが判定用キーワードに合致するキーワードを含むと判定されたコンテンツの見出しのみを選択可能とする処理手順について図１２を参照して説明する。図１２は、コンテンツの見出しが一覧表示された表示部７において、ユーザが操作部８の次選択キーを押下することにより、合致したコンテンツの見出しを選択する構成の処理手順を示すフローチャートである。
【０１０１】
まず、表示制御部１０は、ユーザから操作部８を介してコンテンツ表示指示を受けた場合に（Ｓ２１）、記憶部４からリストＸを取得し、リストＸのコンテンツの見出しを表示部７に一覧表示させる（Ｓ２２）。
【０１０２】
そして、表示制御部１０は、ユーザによって操作部８を介して次選択キーを押下されたと判断した場合は（Ｓ２３でＹｅｓ）、現在選択されているＩＤナンバーのコンテンツ以降にコンテンツがあるか否かを判断する（Ｓ２４）。また、表示制御部１０が、ユーザによって操作部８を介して次選択キーを押下されていないと判断した場合は（Ｓ２３でＮｏ）、Ｓ２２に戻る。
【０１０３】
そして、表示制御部１０は、現在選択されているＩＤナンバーのコンテンツ以降にコンテンツがあると判断した場合（Ｓ２５でＹｅｓ）、報知制御部１１に記憶部４に記憶された判定結果を取得させ、該判定結果から現在選択されているＩＤナンバーのコンテンツ以降のコンテンツにフラグが付与されているか否かを判定させる（Ｓ２６）。
【０１０４】
そして、報知制御部１１は、現在選択されているＩＤナンバーのコンテンツ以降のコンテンツに、フラグが付与されているコンテンツがあると判定した場合には（Ｓ２７でＹｅｓ）、表示制御部１０に現在選択されているＩＤナンバーのコンテンツの次にフラグが付与されているコンテンツを選択させる（Ｓ２８）。
【０１０５】
また、報知制御部１１が、現在選択されているＩＤナンバーのコンテンツ以降のコンテンツに、フラグが付与されているコンテンツがないと判定した場合には（Ｓ２７でＮｏ）、表示制御部１０に現在選択されているＩＤナンバーの次のＩＤナンバーのコンテンツを選択させる（Ｓ２９）。このとき、次のＩＤナンバーのコンテンツは判定用キーワードに合致するキーワードを含まないことをユーザに対して報知する構成であってもよい。例えば、報知制御部１１は、表示制御部１０に「以降にキーワードを含むコンテンツはありませんので、通常の選択モードになります。」等のメッセージを表示部７に表示させてもよい。
【０１０６】
そして、選択されたコンテンツにおいて、表示制御部１０は、ユーザによって操作部８を介して決定キーを押下されたと判断した場合は（Ｓ３０でＹｅｓ）、選択されたコンテンツの本文を表示部７に表示させる（Ｓ３１）。また、表示制御部１０が、選択されたコンテンツにおいて、ユーザによって操作部８を介して決定キーを押下されていないと判断した場合は（Ｓ３０でＮｏ）、Ｓ２２に戻る。
【０１０７】
上記構成により、ユーザは、表示部７に一覧表示されているコンテンツの見出しを、一つ一つ確認しなくても、自分の興味のあるキーワードを含むコンテンツのみ選択可能であるために、興味のあるコンテンツを読み飛ばしてしまう可能性を低下させることができる。
【０１０８】
また、上述した説明においては、受信部３がコンテンツを受信した時点で、キーワード合致状態判定部９により記憶部４に記憶されたキーワードと、リストＸに含まれる全てのコンテンツのキーワードとの合致状態を判定しておく構成について説明したが、本発明はこれに限られない。
【０１０９】
すなわち、受信部３がコンテンツを受信した後、キーワード合致状態判定部９によってコンテンツのキーワードと判定用キーワードとの合致状態を判定する前に、表示部７にコンテンツの見出しを一覧表示する構成であってもよい。この場合は、キーワード合致状態判定部９は、ユーザが操作部８を介して選択したコンテンツのキーワードと判定用キーワードとの合致状態を判定し、合致している場合にユーザに対して報知を行う。
【０１１０】
上記構成について図１３を参照して具体的に説明する。図１３は、本実施形態のコンテンツ表示装置１において、受信部３がコンテンツをサーバ２から受信してから、ユーザが操作部８を介して選択したコンテンツのキーワードが判定用キーワードに合致するとキーワード合致状態判定部９に判定された場合に、ユーザに対して報知を行うまでの処理手順を示すフローチャートである。
【０１１１】
まず、受信部３が、サーバ２が配信したＩＤナンバー１〜７のコンテンツを含むリストＸを受信し（Ｓ４１）、記憶部４に該コンテンツを記憶させる（Ｓ４２）。そして、主制御部５は、報知制御部１１にユーザに対してコンテンツを受信したことを報知させる（Ｓ４３）。
【０１１２】
そして、表示制御部１０は、ユーザから操作部８を介してコンテンツの表示指示を受けると（Ｓ４４）、記憶部４からリストＸを取得し、リストＸのコンテンツの見出しを表示部７に一覧表示させる（Ｓ４５）。
【０１１３】
そして、ユーザが表示部７に一覧表示されたコンテンツの見出しを参照し、操作部８を介してＩＤナンバーＹ（Ｙ＝１、２・・・）のコンテンツの見出しを選択した場合（Ｓ４６）、表示制御部１０は、キーワード合致状態判定部９に記憶部４から判定用キーワードを取得させ（Ｓ４７）、さらに記憶部４からリストＸに含まれるＩＤナンバーＹのコンテンツのキーワードを取得させる（Ｓ４８）。
【０１１４】
そして、キーワード合致状態判定部９は、上記判定用キーワードと、ＩＤナンバーＹのコンテンツのキーワードとの合致状態を判定する（Ｓ４９）。ここで、キーワード合致状態判定部９が、上記判定用キーワードと、上記ＩＤナンバーＹのコンテンツのキーワードとが合致していると判定した場合（Ｓ５０でＹｅｓ）、判定結果を報知制御部１１に送信する。
【０１１５】
そして、報知制御部１１は、上記判定結果に基づいて報知制御情報を生成する（Ｓ５１）。ここで、ユーザに対する報知を表示で行う場合には、表示制御部１０は、報知制御部１１から上記報知制御情報を取得し（Ｓ５２）、該報知制御情報に基づきユーザが選択したコンテンツのキーワードが判定用キーワードに合致すると判定されたことをユーザに対して報知する（Ｓ５３）。
【０１１６】
なお、ユーザに対する報知を表示以外の方法で行う場合は、Ｓ５１で生成された上記報知制御情報は、報知部６のスピーカ１２、バイブレータ１３または発光部１４に送信される。
【０１１７】
〔第２実施形態〕
次に、本発明の第２実施形態のコンテンツ表示装置２１について図１４を参照して説明する。図１４は、第２実施形態のコンテンツ表示装置２１の概略構成を示すブロック図である。なお、第１実施形態のコンテンツ表示装置１における構成要素と、同等の機能を有する構成要素については同一の符号を付記している。
【０１１８】
コンテンツ表示装置２１は、図１４に示すように、受信部３と、記憶部４と、主制御部２５と、報知部６と、表示部７と、操作部８とを備えている。すなわち、コンテンツ表示装置２１は、第１実施形態のコンテンツ表示装置１における主制御部５の代わりに、主制御部２５を備えている。以下に、主制御部２５の構成について具体的に説明する。
【０１１９】
主制御部２５は、第１実施形態の主制御部５の構成に、ブログ情報取得部（サイト情報取得手段）２６と、ブログ情報キーワード抽出部（サイト情報キーワード抽出手段）２７とを追加したものである。
【０１２０】
ブログ情報取得部２６は、ユーザから操作部８を介して所定のブログのアドレス情報が入力された場合に、該アドレス情報に基づき、受信部３にネットワークを介してブログサーバ２２からブログ情報（サイト情報）を取得させるものである。なお、本実施形態では、ユーザが操作部８を介して任意のアドレス情報を入力する構成であるが、ユーザが操作部８を介して記憶部４に予め記憶されているアドレス情報を選択する構成であってもよい。なお、本実施形態では、上記アドレス情報を所定のブログのアドレス情報としているが、ＳＮＳサイト等のアドレス情報であってもよい。
【０１２１】
ブログ情報キーワード抽出部２７は、ブログ情報取得部２６が取得したブログ情報からブログ情報キーワードを抽出し、該ブログ情報キーワードを判定用キーワードとして記憶部４に記憶するものである。このとき、ブログ情報キーワード抽出部２７は、表示部７に所定時間または所定回数だけ表示されたブログ情報からブログ情報キーワードを抽出する構成であることが好ましい。なお、ブログ情報キーワード抽出部２７がブログ情報から抽出するブログ情報キーワードとしては、ブログ情報に含まれる名詞等が挙げられる。
【０１２２】
上記構成により、コンテンツ表示装置２１は、表示部７に一覧表示されているコンテンツに、ブログ情報から抽出したブログ情報キーワードに合致するキーワードを含むコンテンツが含まれている場合は、ユーザに対して報知を行うことができる。
【０１２３】
これにより、ユーザは、表示部７に一覧表示されたコンテンツの見出しまたは本文を確認しなくとも、表示部７に一覧表示されたコンテンツに、興味のあるブログに記載されているブログ情報キーワードに合致するキーワードを含むコンテンツが含まれているか否かを知ることができる。その結果、ユーザは、自分の興味のあるブログに記載されたブログ情報キーワードに関するコンテンツを確実に確認することができる。
【０１２４】
また、コンテンツ表示装置２１では、ブログ情報キーワード抽出部２７がブログ情報キーワードを判定用キーワードとして記憶部４に記憶するときに、ブログ情報キーワードと、そのブログ情報キーワードを抽出したブログのアドレス情報とを関連付けて記憶する構成であってもよい。
【０１２５】
この場合、キーワード合致状態判定部９は、判定用キーワードとＩＤナンバーＹのコンテンツのキーワードとの判定結果を記憶部４に記憶する際に、判定用キーワードと合致したコンテンツのキーワードと、その判定用キーワードに関連付けられたブログのアドレス情報とを、コンテンツのＩＤナンバーに関連付けて記憶部４に記憶させておく。
【０１２６】
そして、報知制御部１１は、ユーザが操作部８を介して判定用キーワードに合致するキーワードを含むコンテンツを選択した場合に、記憶部４に記憶された判定結果と、判定用キーワードと合致したコンテンツのキーワードと、その判定用キーワードに関連付けられたブログのアドレス情報とを取得し、表示制御部１０に該キーワードおよび該アドレス情報を表示部７に表示させる。
【０１２７】
ここで、表示部７に表示されたブログのアドレス情報を、ユーザが操作部８を介して決定キーを押下した場合は、該アドレス情報に対応するブログに画面が遷移する構成であってもよい。この場合、ブログ情報取得部２６は、ユーザが操作部８を介して決定キーを押下した場合は、上記アドレス情報に基づき、受信部３にネットワークを介してブログサーバ２２からブログ情報を取得させ、表示制御部１０に該ブログ情報を表示部７に表示させる。
【０１２８】
上記構成により、ユーザは、判定用キーワードに合致するキーワードを含むと判定されたコンテンツだけでなく、該判定用キーワードが記載されたブログ情報も再度確認することができ、該判定用キーワードに関する情報をより多く得ることが可能となる。
【０１２９】
最後に、コンテンツ表示装置１およびコンテンツ表示装置２１の各ブロック、特にキーワード合致状態判定部９、表示制御部１０および報知制御部１１は、ハードウェアロジックによって構成してもよいし、次のようにＣＰＵを用いてソフトウェアによって実現してもよい。
【０１３０】
すなわち、コンテンツ表示装置１およびコンテンツ表示装置２１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるコンテンツ表示装置１およびコンテンツ表示装置２１の制御プログラムのプログラムコード（実行形式プログラム、中間コードプログラム、ソースプログラム）をコンピュータで読み取り可能に記録した記録媒体を、コンテンツ表示装置１およびコンテンツ表示装置２１に供給し、そのコンピュータ（またはＣＰＵやＭＰＵ）が記録媒体に記録されているプログラムコードを読み出し実行することによっても、達成可能である。
【０１３１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３２】
また、コンテンツ表示装置１およびコンテンツ表示装置２１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３４】
本発明のコンテンツ表示装置は、例えば、携帯電話、ＰＤＡ（Personal data assistant）、パーソナルコンピュータ等の通信端末装置に搭載することが可能であるが、特に、小型の表示画面を有する携帯可能な構成の通信端末装置に好適に搭載することができる。
【図面の簡単な説明】
【０１３５】
【図１】本発明の第１実施形態に係るコンテンツ表示装置の概略構成を示すブロック図である。
【図２】上記コンテンツ表示装置において、受信部が受信したコンテンツを示す図である。
【図３】上記コンテンツ表示装置において、キーワード合致状態判定部によって判定された判定結果を示す図である。
【図４】（ａ）は従来のコンテンツ表示装置の表示部に複数のコンテンツの見出しが一覧表示された図であり、（ｂ）は上記コンテンツ表示装置の表示部に複数のコンテンツの見出しが一覧表示された図である。
【図５】上記コンテンツ表示装置において、コンテンツの受信から、表示部において判定用キーワードに合致すると判定されたキーワードを含むコンテンツを識別可能に表示するまでの処理手順を示すフローチャートである。
【図６】上記コンテンツ表示装置の表示部において、判定用キーワードに合致すると判定されたキーワードを含むコンテンツを識別可能に表示する方法の一例を示す図である。
【図７】上記コンテンツ表示装置において、表示部に一覧表示されたコンテンツに、判定用キーワードに合致すると判定されたキーワードを含むコンテンツが含まれていることをユーザに対して報知する方法の一例を示す図である。
【図８】（ａ）は上記コンテンツ表示装置において、判定用キーワードに合致すると判定されたキーワードを含むコンテンツの数をユーザに報知する方法の一例を示す図であり、（ｂ）は上記コンテンツ表示装置において、判定用キーワードに合致すると判定されたキーワードを含むコンテンツの数をユーザに報知する方法の他の一例を示す図である。
【図９】図８（ｂ）において表示されたコンテンツ数をユーザが選択することにより、判定用キーワードに合致すると判定されたキーワードを含むコンテンツの見出しが一覧表示された画面に遷移することを示した図である。
【図１０】上記コンテンツ表示装置において、判定用キーワードに合致すると判定されたキーワードを含むコンテンツをユーザが選択した場合に、合致したコンテンツのキーワードをユーザに報知する方法の一例を示す図である。
【図１１】上記コンテンツ表示装置において、判定用キーワードに合致すると判定されたキーワードを含むコンテンツのみをユーザが選択可能であることを示す図である。
【図１２】図１１に示すコンテンツ表示装置における処理手順を示すフローチャートである。
【図１３】上記コンテンツ表示装置において、コンテンツの受信から、ユーザが操作部を介して選択したコンテンツのキーワードが判定用キーワードに合致するとキーワード合致状態判定部に判定された場合に、ユーザに対して報知を行うまでの処理手順を示すフローチャートである。
【図１４】本発明の第２実施形態に係るコンテンツ表示装置の概略構成を示すブロック図である。
【符号の説明】
【０１３６】
１、２１  コンテンツ表示装置
２        サーバ
３        受信部
４        記憶部
５、２５  主制御部
６        報知部
７        表示部
８        操作部
９        キーワード合致状態判定部（キーワード合致状態判定手段）
１０      表示制御部
１１      報知制御部（報知制御手段）
１２      スピーカ
１３      バイブレータ
１４      発光部
２２      ブログサーバ
２６      ブログ情報取得部（サイト情報取得手段）
２７      ブログ情報キーワード抽出部（サイト情報キーワード抽出手段）
【図１】
0004987594.tif 000002
【図２】
0004987594.tif 000003
【図３】
0004987594.tif 000004
【図４】
0004987594.tif 000005
【図５】
0004987594.tif 000006
【図６】
0004987594.tif 000007
【図７】
0004987594.tif 000008
【図８】
0004987594.tif 000009
【図９】
0004987594.tif 000010
【図１０】
0004987594.tif 000011
【図１１】
0004987594.tif 000012
【図１２】
0004987594.tif 000013
【図１３】
0004987594.tif 000014
【図１４】
0004987594.tif 000015